(57)【要約】【課題】撮像手段により撮像した情報を基に、装置の外観デザインに応じた初期状態に変更可能な撮像装置を提供する。【解決手段】撮像手段（７）を有する撮像装置（１）であって、撮像手段（７）により撮像した撮像装置（１）の外観デザインに応じた初期状態に変更する。【選択図】図１
2008193610.tif 000002
【特許請求の範囲】
【請求項１】
撮像手段を有する撮像装置であって、
前記撮像手段により撮像した当該撮像装置の外観デザインに応じた初期状態に変更する変更手段を有することを特徴とする撮像装置。
【請求項２】
外観デザインに関連付けて初期状態を管理する管理手段を有し、
前記変更手段は、前記撮像手段により撮像した外観デザインを基に、前記管理手段を参照し、当該外観デザインに応じた初期状態を前記管理手段から取得し、該取得した初期状態に変更することを特徴とする請求項１記載の撮像装置。
【請求項３】
前記変更手段は、初期状態を変更した後に、初期状態を変更した旨を示す変更済情報を設定し、前記変更済情報を設定した後は、前記初期状態の変更を行わないことを特徴とする請求項１または２記載の撮像装置。
【請求項４】
前記変更手段は、前記変更済情報が設定されているか否かを判断し、前記変更済情報が設定されていない場合には、前記撮像手段により前記撮像装置の外観デザインを撮像し、前記外観デザインに応じた初期状態に変更し、前記変更済情報が設定されている場合には、前記初期状態の変更を行わないことを特徴とする請求項３記載の撮像装置。
【請求項５】
前記変更手段は、前記撮像装置の電源立ち上げ時に行うことを特徴とする請求項１から４の何れか１項に記載の撮像装置。
【請求項６】
前記初期状態は、メニューフォームと、壁紙と、メロディと、文字フォントと、スクリプトファイルと、の少なくとも１つであることを特徴とする請求項１から４の何れか１項に記載の撮像装置。
【請求項７】
撮像手段を有する撮像装置で行う初期状態変更方法であって、
前記撮像手段により撮像した当該撮像装置の外観デザインに応じた初期状態に変更する変更工程を、前記撮像装置が行うことを特徴とする初期状態変更方法。
【請求項８】
撮像手段を有する撮像装置において実行させる初期状態変更プログラムであって、
前記撮像手段により撮像した当該撮像装置の外観デザインに応じた初期状態に変更する変更処理を、前記撮像装置に実行させることを特徴とする初期状態変更プログラム。
【発明の詳細な説明】
【技術分野】
【０００１】
本発明は、カメラ等の撮像手段を有するデジタルカメラ、携帯電話機等の撮像装置に関し、特に、撮像装置の外観デザインに応じた初期状態に変更することが可能な撮像装置、初期状態変更方法及び初期状態変更プログラムに関するものである。
【背景技術】
【０００２】
従来は、デザインを重視した装置であっても、各々の装置が同一のソフトを使用している環境下では、装置の外観デザインに関わらず、同一のメニューフォーム、壁紙、メロディ等が初期状態として装置に設定されていた。
【０００３】
このため、装置の電源投入直後の初期状態からのトータル提案と言う意味では、装置の外観デザインと、装置に初期状態として設定されているメニューフォーム、壁紙、メロディ等と、の不調和が発生している状況であった。
【０００４】
このようなことから、装置の外観デザインと調和の取れたメニューフォーム、壁紙、メロディ等を初期状態として装置に設定しておくことが好ましい。
【０００５】
例えば、図６に示すように、装置の外観デザインが『男性向けの外観デザイン』の場合には、その『男性向けの外観デザイン』と調和の取れた『メニューフォーム、壁紙、メロディ等の初期状態』を装置に設定しておくことが好ましい。また、装置の外観デザインが『女性向けの外観デザイン』の場合には、その『女性向けの外観デザイン』と調和の取れた『メニューフォーム、壁紙、メロディ等の初期状態』を装置に設定しておくことが好ましい。また、装置の外観デザインが『子供向けの外観デザイン』の場合には、その『子供向けの外観デザイン』と調和の取れた『メニューフォーム、壁紙、メロディ等の初期状態』を装置に設定しておくことが好ましい。
【０００６】
しかしながら、各々の装置が同一のソフトを使用している環境下では、製造時に、装置の外観デザインと調和の取れた初期状態を装置に設定しておくことは困難である。
【０００７】
このため、利用者が簡易な操作で、装置の外観デザインに応じた初期状態に変更可能な装置の開発が要望視されることになる。
【０００８】
なお、本発明より先に出願された技術文献として、移動体通信端末における外観デザインのデザイン性を高めることが可能な技術について開示された文献がある（例えば、特許文献１参照）。
【特許文献１】特開２００５−２５２４２１号公報
【発明の開示】
【発明が解決しようとする課題】
【０００９】
しかしながら、上記特許文献１には、携帯電話機２０がダウンロードサーバ１１にアクセスし、携帯電話機２０の下部ケーシング３０ｂの色彩等に適したケーシング画像等をダウンロードサーバ１１から取得する点については記載されているが、撮像手段により撮像した情報を基に、装置の外観デザインに応じた初期状態に変更することについては何ら記載もその必要性についても示唆されていない。
【００１０】
本発明は、上記事情に鑑みてなされたものであり、撮像手段により撮像した情報を基に、装置の外観デザインに応じた初期状態に変更可能な撮像装置、初期状態変更方法及び初期状態変更プログラムを提供することを目的とするものである。
【課題を解決するための手段】
【００１１】
かかる目的を達成するために、本発明は、以下の特徴を有することとする。
【００１２】
本発明にかかる撮像装置は、撮像手段を有する撮像装置であって、
前記撮像手段により撮像した当該撮像装置の外観デザインに応じた初期状態に変更する変更手段を有することを特徴とする。
【００１３】
また、本発明にかかる撮像装置は、
外観デザインに関連付けて初期状態を管理する管理手段を有し、
前記変更手段は、前記撮像手段により撮像した外観デザインを基に、前記管理手段を参照し、当該外観デザインに応じた初期状態を前記管理手段から取得し、該取得した初期状態に変更することを特徴とする。
【００１４】
また、本発明にかかる撮像装置において、
前記変更手段は、初期状態を変更した後に、初期状態を変更した旨を示す変更済情報を設定し、前記変更済情報を設定した後は、前記初期状態の変更を行わないことを特徴とする。
【００１５】
また、本発明にかかる撮像装置において、
前記変更手段は、前記変更済情報が設定されているか否かを判断し、前記変更済情報が設定されていない場合には、前記撮像手段により前記撮像装置の外観デザインを撮像し、前記外観デザインに応じた初期状態に変更し、前記変更済情報が設定されている場合には、前記初期状態の変更を行わないことを特徴とする。
【００１６】
また、本発明にかかる撮像装置において、
前記変更手段は、前記撮像装置の電源立ち上げ時に行うことを特徴とする。
【００１７】
また、本発明にかかる撮像装置において、
前記初期状態は、メニューフォームと、壁紙と、メロディと、文字フォントと、スクリプトファイルと、の少なくとも１つであることを特徴とする。
【００１８】
また、本発明にかかる初期状態変更方法は、撮像手段を有する撮像装置で行う初期状態変更方法であって、
前記撮像手段により撮像した当該撮像装置の外観デザインに応じた初期状態に変更する変更工程を、前記撮像装置が行うことを特徴とする。
【００１９】
また、本発明にかかる初期状態変更プログラムは、撮像手段を有する撮像装置において実行させる初期状態変更プログラムであって、
前記撮像手段により撮像した当該撮像装置の外観デザインに応じた初期状態に変更する変更処理を、前記撮像装置に実行させることを特徴とする。
【発明の効果】
【００２０】
本発明によれば、撮像手段により撮像した情報を基に、装置の外観デザインに応じた初期状態に変更することが可能となる。
【発明を実施するための最良の形態】
【００２１】
まず、図１、図２を参照しながら、本実施形態の撮像装置の特徴について説明する。
【００２２】
本実施形態における撮像装置（通信端末装置１に該当）は、図１、図２に示すように、撮像手段（カメラ７に該当）を有する撮像装置（１）であって、撮像手段（７）により撮像した撮像装置（１）の外観デザインに応じた初期状態に変更することを特徴とする。
【００２３】
これにより、撮像手段（７）により撮像した情報を基に、撮像装置（１）の外観デザインに応じた初期状態に変更することが可能となる。
【００２４】
例えば、撮像装置（１）の外観デザインが『男性向けの外観デザイン』の場合には、その『男性向けの外観デザイン』と調和の取れた『メニューフォーム、壁紙、メロディ等の初期状態』に変更することが可能となる。また、撮像装置（１）の外観デザインが『女性向けの外観デザイン』の場合には、その『女性向けの外観デザイン』と調和の取れた『メニューフォーム、壁紙、メロディ等の初期状態』に変更することが可能となる。また、撮像装置（１）の外観デザインが『子供向けの外観デザイン』の場合には、その『子供向けの外観デザイン』と調和の取れた『メニューフォーム、壁紙、メロディ等の初期状態』に変更することが可能となる。以下、添付図面を参照しながら、本実施形態の撮像装置（１）について説明する。
【００２５】
なお、以下の説明では、撮像装置（１）として通信端末装置（１）を例として説明するが、本実施形態の技術思想は、以下に説明する通信端末装置（１）に限定するものではなく、装置の外観デザインを撮影可能な撮像手段（７）を有する装置であれば、あらゆる機器に、本実施形態の技術思想を適用することが可能である。
【００２６】
（第１の実施形態）
＜通信端末装置：１の外観構成＞
まず、図１を参照しながら、本実施形態における通信端末装置（１）の外観構成について説明する。なお、図１は、本実施形態における通信端末装置（１）の概略図を示すものである。
【００２７】
本実施形態における通信端末装置（１）は、第１の筐体（２）と、第２の筐体（３）と、がヒンジ部（４）を介して回動可能となるように構成されてなる通信端末装置である。
【００２８】
なお、通信端末装置（１）は、図１に示すように、第２の筐体（３）には、キー操作部（５）が設けられており、第１の筐体（２）には、表示部（６）と、カメラ（７）と、が設けられている。
【００２９】
キー操作部（５）は、各種操作を行うための操作部である。また、表示部（６）は、各種情報を表示するための表示部である。また、カメラ（７）は、第２の筐体（３）の内側部分に設けられる内側カメラであり、各種情報を撮像することになり、例えば、通信端末装置（１）の外観デザイン等を撮像することになる。なお、本実施形態におけるカメラ（７）は、装置（１）の外観デザインが撮像可能な位置に設置されていれば、カメラ（７）の設置位置は、特に限定せず、あらゆる位置にカメラ（７）を設置することは可能である。
【００３０】
＜通信端末装置：１の内部構成＞
次に、図２を参照しながら、図１に示す通信端末装置（１）の内部構成について説明する。なお、図２は、本実施形態における通信端末装置（１）の内部構成を示すものである。
【００３１】
本実施形態における通信端末装置（１）は、無線アンテナ（１０）と、無線部（１１）と、制御部（１２）と、画像処理部（１３）と、表示部（６）と、キー操作部（５）と、カメラ（７）と、ＲＡＭ（１４）と、ＲＯＭ（１５）と、スピーカ（１６）と、マイクロフォン（１７）と、を有して構成している。なお、各機能部は、バス等の制御線を介して接続するように構築することになる。
【００３２】
＜無線アンテナ：１０＞
無線アンテナ（１０）は、外部の通信端末装置から電波を受けて受信信号を生成し、該生成した受信信号を無線部（１１）に送信する。また、無線アンテナ（１０）は、無線部（１１）からの送信信号を受けて電波として外部の通信端末装置に送信することになる。
【００３３】
＜無線部：１１＞
無線部（１１）は、無線アンテナ（１０）からの受信信号を制御部（１２）に送信する。また、無線部（１１）は、制御部（１２）からの送信信号を無線アンテナ（１０）に送信することになる。
【００３４】
＜制御部：１２＞
制御部（１２）は、キー操作部（５）からの操作信号に基づいて、無線部（１１）から受けた受信信号を音声信号と画像信号とに分離し、該分離した音声信号をスピーカ（１６）に出力し、また、分離した画像信号を表示部（６）に出力することになる。また、制御部（１２）は、キー操作部（５）からの操作信号に基づいて、無線部（１１）から受けて分離した画像信号と音声信号とをＲＡＭ（１４）に記憶することになる。
【００３５】
また、制御部（１２）は、カメラ（７）により撮像した映像データの画像信号や、マイクロフォン（１７）により取得した音声情報の音声信号をＲＡＭ（１４）に記憶したり、カメラ（７）により撮像した映像データに画像処理を施した画像信号をＲＡＭ（１４）に記憶したりすることになる。
【００３６】
＜画像処理部：１３＞
画像処理部（１３）は、カメラ（７）で撮影された映像データや、ＲＡＭ（１４）やＲＯＭ（１５）に記憶された画像信号の画像処理（色変換処理や、リサイズ処理（必要に応じて））を行うものである。
【００３７】
＜表示部：６＞
表示部（６）は、画像データを表示させるためのものであり、制御部（１２）からの画像信号に基づいて画像を表示することになる。
【００３８】
＜キー操作部：５＞
キー操作部（５）は、各種機能の選択や、移動体端末装置（１）の機能を操作するものであり、キー操作部（５）から制御部（１２）に操作信号を送信することになる。
【００３９】
＜カメラ：７＞
カメラ（７）は、外部の映像データを撮影するものであり、カメラ（７）で撮影された映像データ（静止画、動画）の画像信号を生成し、制御部（１２）に送信することになる。なお、図２に示すカメラ（７）は、図１に示すカメラ（７）を示す。なお、カメラ（７）にて撮像可能な画像サイズとしては、ＣＩＦ（Common Intermediate Format）、ＱＣＩＦ（Quarter Common Intermediate Format）、ＶＧＡ（Video Graphics Array）、ＱＶＧＡ（Quarter Video Graphics Array）等が適用可能である。なお、これらの画像サイズは一例であり、あらゆる画像サイズを適用することは可能である。
【００４０】
＜ＲＡＭ：１４＞
ＲＡＭ（１４）は、所定のアプリケーションプログラムを起動した際に、そのプログラムを実行する際に使用する画像信号や音声信号等の情報を一時的に記録し、情報の読み書きを行うための作業領域となる記憶部である。なお、アクセススピードの速いＤＤＲやＲＤ等のデバイスを適用することで、情報処理の高速化を図ることが可能となる。
【００４１】
＜ＲＯＭ：１５＞
ＲＯＭ（１５）は、通信端末装置（１）の制御を行うための制御プログラム、アプリケーション等の情報を記録するためのものである。なお、図２に示す通信端末装置（１）の構成では、ＲＯＭ（１５）内に各種情報を格納したが、ＲＯＭ（１５）に格納した情報をＰＲＯＭ（Programmable ROM）やフラッシュメモリ内に格納し、各種情報を書き換え可能にすることも可能である。これにより、通話者が、通信端末装置（１）の具備するキー操作部（５）を用いて、任意に情報を書き換えることが可能となる。なお、ＰＲＯＭとしては、ＥＰＲＯＭ（Electrically Programmable ROM）やＥＥＰＲＯＭ（Electrically Erasable Programmable ROM）等が挙げられる。また、フラッシュメモリとしては、ＮＡＮＤフラッシュメモリが挙げられる。また、ＨＤＤのような記憶デバイスに格納することも可能である。
【００４２】
＜スピーカ：１６＞
スピーカ（１６）は、音声信号を音声として出力するものである。
【００４３】
＜マイクロフォン：１７＞
マイクロフォン（１７）は、外部の音声を音声信号として取得するものである。
【００４４】
＜通信端末装置：１における制御動作＞
次に、図３を参照しながら、本実施形態の通信端末装置（１）における制御動作について説明する。
【００４５】
まず、通信端末装置（１）の利用者は、キー操作部（５）を操作し、電源キーを押下する。そして、通信端末装置（１）の筐体を一旦閉じる（ステップＳ１）。
【００４６】
通信端末装置（１）は、電源キーが押下されたと判断した場合に、ＲＯＭ（１５）内に格納されているアプリケーションプログラムを読み出し、該読み出したアプリケーションプログラムを基に、以下の処理を実行することになる（ステップＳ２）。
【００４７】
まず、通信端末装置（１）は、初期値設定済フラグの判別を行い（ステップＳ３）、初期値設定済フラグがＯＮであれば、初期値設定済であると判断し（ステップＳ３／Ｙｅｓ）、処理を終了する。
【００４８】
また、通信端末装置（１）は、初期値設定済フラグがＯＦＦであれば、初期値設定済でないと判断し（ステップＳ３／Ｎｏ）、通信端末装置（１）は、カメラ（７）を起動し、通信端末装置（１）の筐体の外観デザインを撮影する（ステップＳ４）。
【００４９】
通信端末装置（１）は、カメラ（７）にて撮影した外観デザインを基に、画像判定処理を行い、外観デザインに応じた初期状態を検索・取得する（ステップＳ５）。
【００５０】
例えば、ＲＯＭ（１５）内には、図４に示すような管理テーブルが格納されており、通信端末装置（１）は、カメラ（７）にて撮影した外観デザインに応じた初期状態を検索・取得することになる。
【００５１】
例えば、カメラ（７）にて撮影した外観デザインが『Color Ａ』の場合には、その『Color Ａ』に関連付けて管理している、メニューフォーム『Menu Ａ』、壁紙『Ａ』、文字フォント『中、標準』、初期値パターン『１』を検索・取得することになる。
【００５２】
次に、通信端末装置（１）は、上記ステップＳ５において検索・取得した初期状態を基に、通信端末装置（１）のデフォルト値の変更を行う（ステップＳ６）。
【００５３】
これにより、通信端末装置（１）は、通信端末装置（１）のデフォルト値を、カメラ（７）にて撮影した外観デザインに応じた初期状態に変更することが可能となる。
【００５４】
次に、通信端末装置（１）は、初期値設定済フラグをＯＮに設定し、初期値設定済フラグの更新を行うことになる（ステップＳ７）。
【００５５】
これにより、ステップＳ２においてアプリケーションプログラムが起動しても、デフォルト値の変更を行うことがないため、通信端末装置（１）の外観デザインに応じた初期状態を維持することが可能となる。
【００５６】
このように、本実施形態における通信端末装置（１）は、初期電源投入時に、上述した図３に示す一連の処理を行うアプリケーションを起動し、通信端末装置（１）の外観デザインをカメラ（７）で撮像し、そのカメラ（７）で撮像した外観デザインに応じた初期状態（メニューフォーム、壁紙、文字フォント、初期値パターン等）に設定変更する。
【００５７】
これにより、通信端末装置（１）の外観デザインだけでなく、通信端末装置（１）の外観デザインと調和の取れた初期状態に設定変更することが可能となるため、通信端末装置（１）の外観デザインに応じたトータル的な提案を行うことが可能となる。
【００５８】
また、本実施形態における通信端末装置（１）は、初期電源投入時に、上述した図３に示す一連の処理を行い、通信端末装置（１）の外観デザインと調和の取れた初期状態に設定変更することになるため、利用者が簡易な操作で、通信端末装置（１）の外観デザインに応じた初期状態に変更することが可能となる。
【００５９】
また、本実施形態における通信端末装置（１）は、初期値設定済フラグを利用し、初期値設定済フラグが設定されていなければ、通信端末装置（１）の外観デザインと調和の取れた初期状態に変更し、また、初期値設定済フラグが設定されていれば、通信端末装置（１）の外観デザインと調和の取れた初期状態に変更しないように制御することになる。
【００６０】
このため、本実施形態における通信端末装置（１）は、上述した初期状態の変更制御を、初期電源投入時だけ行うことになるため、通常の電源ＯＮ／ＯＦＦに影響させることなく、通信端末装置（１）の外観デザインと調和の取れた初期状態への変更処理を行うことが可能となる。
【００６１】
また、ユーザ操作により初期状態を設定変更した後でも、初期値設定済フラグを設定することで、設定変更前の初期状態に戻ることがないように制御することが可能となる。
【００６２】
（第２の実施形態）
次に、第２の実施形態について説明する。
【００６３】
第２の実施形態における通信端末装置（１）は、カメラ（７）にて撮像した外観デザインに応じたスクリプトファイルに変更することを特徴とする。これにより、通信端末装置（１）の外観デザインに応じたスクリプトファイルに変更することが可能となる。以下、第２の実施形態の通信端末装置（１）について詳細に説明する。
【００６４】
第２の実施形態における通信端末装置（１）は、スクリプトファイルの変更内容を、上述した図４に示す管理テーブルに組み込み、図５に示すような管理テーブルをＲＯＭ（１５）内に格納する。そして、第１の実施形態で説明した図３に示す処理と同様な処理を行うことで、通信端末装置（１）の外観デザインに応じたスクリプトファイルに変更することが可能となる。
【００６５】
なお、スクリプトファイルの内容としては、メモリマウントサイズや、音響パラメータ値等が挙げられる。
【００６６】
これにより、通信端末装置（１）の外観デザインに応じて、メモリマウントサイズや、音響パラメータ値を設定変更することが可能となる。
【００６７】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００６８】
例えば、上述した初期状態として変更する内容は、上述した実施形態で説明した内容に限定するものではなく、あらゆる情報を、図４、図５に示す管理テーブルに組み込むことは可能である。
【００６９】
また、上述した初期値設定済フラグは、ユーザ操作により設定変更するように構築することも可能である。
【００７０】
また、上述した実施形態における通信端末装置（１）における制御動作は、ハード構成ではなく、コンピュータプログラム等のソフトウェアにより実行することも可能であり、また、上記のプログラムは、光記録媒体、磁気記録媒体、光磁気記録媒体、または半導体等の記録媒体に記録し、その記録媒体から上記プログラムを、上述した通信端末装置（１）に読み込ませることで、上述した制御動作を通信端末装置（１）において実行させることも可能である。また、所定のネットワークを介して接続されている外部機器から上記プログラムを、上述した通信端末装置（１）に読み込ませることで、上述した制御動作を、通信端末装置（１）において実行させることも可能である。
【産業上の利用可能性】
【００７１】
本発明にかかる撮像装置、初期状態変更方法及び初期状態変更プログラムは、装置の外観デザインを撮像可能なカメラを搭載した機器に適用可能である。
【図面の簡単な説明】
【００７２】
【図１】本実施形態における通信端末装置（１）の外部構成を示す図である。
【図２】本実施形態における通信端末装置（１）の内部構成を示すブロック図である。
【図３】本実施形態の通信端末装置（１）における処理動作を示すフロチャートである。
【図４】外観デザインに応じた初期状態に設定変更する際に使用する第１の管理テーブルのデータ構成例を示す図である。
【図５】外観デザインに応じた初期状態に設定変更する際に使用する第２の管理テーブルのデータ構成例を示す図である。
【図６】装置の外観デザインと調和の取れたメニューフォーム、壁紙、メロディ等を初期状態として装置に設定する場合の例を説明するための図である。
【符号の説明】
【００７３】
１    通信端末装置
２    第１の筐体
３    第２の筐体
４    ヒンジ部
５    キー操作部
６    表示部
７    カメラ（撮像手段）
１０    無線アンテナ
１１    無線部
１２    制御部
１３    画像処理部
１４    ＲＡＭ
１５    ＲＯＭ
１６    スピーカ
１７    マイクロフォン
【図１】
2008193610.tif 000003
【図２】
2008193610.tif 000004
【図３】
2008193610.tif 000005
【図４】
2008193610.tif 000006
【図５】
2008193610.tif 000007
【図６】
2008193610.tif 000008